(57)【要約】【課題】無線装置間の通信環境に応じて適応的に設定された通信条件において、当該無線装置間の通信を行う。【解決手段】端末１４は、第１通信条件（例えば通信チャネルｆ１、伝送レートＭ１）でテスト信号を基地局１２へ送信する。基地局１２は、テスト信号を受信した場合にＡＣＫを第１通信条件にて端末１４へ送信する。端末１４は、テスト信号を送信してから所定時間内に基地局１２からＡＣＫを受信しなかった場合に、第１通信条件とは異なる第２通信条件（例えば通信チャネルｆ２、伝送レートＭ２）でテスト信号を基地局１２へ再送する。第２通信条件でテスト信号を送信してから所定時間内に端末１４がＡＣＫを受信した場合、基地局１２と端末１４間の通信条件が第２通信条件に設定される。【選択図】図３
2017199963.tif 000002
【特許請求の範囲】
【請求項１】
無線通信可能に接続された第１無線装置及び第２無線装置とを含む無線通信システムであって、
前記第１無線装置は、
前記第２無線装置から通信試験信号を受信したときに受信確認信号を前記第２無線装置へ送信する受信確認信号送信部、
を備え、
前記第２無線装置は、
前記第１無線装置に対する通信条件を設定する通信条件設定部と、
第１通信条件で前記通信試験信号を前記第１無線装置へ送信し、さらに、前記第１通信条件で前記通信試験信号を送信した後所定時間内に前記第１無線装置から前記受信確認信号を受信しなかった場合に、前記第１通信条件とは異なる第２通信条件で前記通信試験信号を前記第１無線装置へ送信する通信試験信号送信部と、
を備え、
前記第２無線装置が前記第１通信条件で前記通信試験信号を送信した後所定時間内に前記第１無線装置から前記受信確認信号を受信した場合は、前記第１無線装置と前記第２無線装置は前記第１通信条件で通信を開始し、前記第２無線装置が前記第２通信条件で前記通信試験信号を送信した後所定時間内に前記第１無線装置から前記受信確認信号を受信した場合は、前記第１無線装置と前記第２無線装置は前記第２通信条件で通信を開始する、
ことを特徴とする無線通信システム。
【請求項２】
前記第２無線装置は、
前記第１無線装置と前記第２無線装置との間の通信品質を検出する通信品質検出部、
をさらに備え、
前記第１無線装置と前記第２無線装置が前記第１通信条件で通信中であり、且つ、検出された前記通信品質が所定レベル以下となった場合に、通信試験信号送信部は、前記第２通信条件で前記通信試験信号を前記第１無線装置へ送信する、
ことを特徴とする、請求項１に記載の無線通信システム。
【請求項３】
前記第１通信条件及び前記第２通信条件は、通信チャネル及び伝送レートを含む、
ことを特徴とする、請求項１又は２に記載の無線通信システム。
【請求項４】
他の無線装置と無線通信可能に接続された無線装置であって、
前記他の無線装置に対する通信条件を設定する通信条件設定部と、
第１通信条件で通信試験信号を前記他の無線装置へ送信し、さらに、前記第１通信条件で前記通信試験信号を送信した後所定時間内に前記他の無線装置から受信確認信号を受信しなかった場合に、前記第１通信条件とは異なる第２通信条件で前記通信試験信号を前記他の無線装置へ送信する通信試験信号送信部と、
を備え、
前記第１通信条件で前記通信試験信号を送信した後所定時間内に前記他の無線装置から前記受信確認信号を受信した場合は、前記他の無線装置との間で前記第１通信条件で通信を開始し、前記第２通信条件で前記通信試験信号を送信した後所定時間内に前記他の無線装置から前記受信確認信号を受信した場合は、前記他の無線装置との間で前記第２通信条件にて通信を開始する、
ことを特徴とする無線装置。
【発明の詳細な説明】
【技術分野】
【０００１】
本発明は、無線通信システム及び無線装置に関する。
【背景技術】
【０００２】
装置間における通信を実現する方法として、従来、無線通信が用いられている。無線通信によれば、有線通信を用いた場合に必要となるケーブル敷設やその管理維持が不要となり、イニシャルコスト及びランニングコストの削減が期待できる。そのため、複数の無線装置を有し、無線装置間において無線通信を行う無線通信システムが利用されている（例えば特許文献１）。
【０００３】
特定の周波数帯を様々な無線通信システムで共用する場合、無線通信システム間における周波数の干渉によって、無線装置間の通信品質が低下する場合がある。通信品質が低下しすぎると、無線装置間で通信ができなくなる場合さえある。
【０００４】
無線装置間の通信品質が低下した場合の対策としては、無線装置間の通信条件を変更することが考えられる。例えば、無線装置間の通信チャネル（中心周波数）や伝送レートを変更することが考えられる。伝送レートの変更は、例えば帯域幅や変調方式の変更などにより実現される。
【０００５】
無線装置間の通信条件は、通信を行う２つの無線装置において共有されている必要がある。したがって、従来、無線装置間において通信条件を共有すべく、無線装置間に設けられた制御用チャネル（一般的な無線装置であれば通信可能となる通信条件）を用いて、ネゴシエーションと呼ばれる処理が行われていた。
【先行技術文献】
【特許文献】
【０００６】
【特許文献１】特開２００６−１００９３２号公報
【発明の概要】
【発明が解決しようとする課題】
【０００７】
無線装置間の通信品質が悪く、制御用チャネルによる通信ができない場合、無線装置間において通信条件を共有することができないという問題がある。例えば、一方の無線装置から他方の無線装置へ通信条件を示す情報が送信できなければ、無線装置間において通信条件を共有することができない。また、一方の無線装置から他方の無線装置へ通信条件を示す情報が送信できたものの、他方の無線装置からの了解メッセージを一方の無線装置が受信できなかった場合、２つの無線装置で通信条件の不一致が発生し、通信が全く行えない状態に陥るおそれもある。
【０００８】
また、ネゴシエーションのための通信は制御用チャネルを用いて行われるため、その通信条件は、一般的に無線装置間で共有される通信条件とは異なる。そのため、ネゴシエーションにて共有された通信条件が、当該無線装置間において適切な通信条件となる保証がないという問題も指摘できる。
【０００９】
本発明の目的は、無線装置間の通信環境に応じて適応的に設定された通信条件において、当該無線装置間の通信を行うことにある。
【課題を解決するための手段】
【００１０】
本発明は、無線通信可能に接続された第１無線装置及び第２無線装置とを含む無線通信システムであって、前記第１無線装置は、前記第２無線装置から通信試験信号を受信したときに受信確認信号を前記第２無線装置へ送信する受信確認信号送信部、を備え、前記第２無線装置は、前記第１無線装置に対する通信条件を設定する通信条件設定部と、第１通信条件で前記通信試験信号を前記第１無線装置へ送信し、さらに、前記第１通信条件で前記通信試験信号を送信した後所定時間内に前記第１無線装置から前記受信確認信号を受信しなかった場合に、前記第１通信条件とは異なる第２通信条件で前記通信試験信号を前記第１無線装置へ送信する通信試験信号送信部と、を備え、前記第２無線装置が前記第１通信条件で前記通信試験信号を送信した後所定時間内に前記第１無線装置から前記受信確認信号を受信した場合は、前記第１無線装置と前記第２無線装置は前記第１通信条件で通信を開始し、前記第２無線装置が前記第２通信条件で前記通信試験信号を送信した後所定時間内に前記第１無線装置から前記受信確認信号を受信した場合は、前記第１無線装置と前記第２無線装置は前記第２通信条件で通信を開始する、ことを特徴とする。
【００１１】
望ましくは、前記第２無線装置は、前記第１無線装置と前記第２無線装置との間の通信品質を検出する通信品質検出部、をさらに備え、前記第１無線装置と前記第２無線装置が前記第１通信条件で通信中であり、且つ、検出された前記通信品質が所定レベル以下となった場合に、通信試験信号送信部は、前記第２通信条件で前記通信試験信号を前記第１無線装置へ送信する、ことを特徴とする。
【００１２】
望ましくは、前記第１通信条件及び前記第２通信条件は、通信チャネル及び伝送レートを含む、ことを特徴とする。
【００１３】
また、本発明は、他の無線装置と無線通信可能に接続された無線装置であって、前記他の無線装置に対する通信条件を設定する通信条件設定部と、第１通信条件で通信試験信号を前記他の無線装置へ送信し、さらに、前記第１通信条件で前記通信試験信号を送信した後所定時間内に前記他の無線装置から受信確認信号を受信しなかった場合に、前記第１通信条件とは異なる第２通信条件で前記通信試験信号を前記他の無線装置へ送信する通信試験信号送信部と、を備え、前記第１通信条件で前記通信試験信号を送信した後所定時間内に前記他の無線装置から前記受信確認信号を受信した場合は、前記他の無線装置との間で前記第１通信条件で通信を開始し、前記第２通信条件で前記通信試験信号を送信した後所定時間内に前記他の無線装置から前記受信確認信号を受信した場合は、前記他の無線装置との間で前記第２通信条件にて通信を開始する、ことを特徴とする。
【発明の効果】
【００１４】
本発明によれば、無線装置間の通信環境に応じて適応的に設定された通信条件において、当該無線装置間の通信を行うことができる。
【図面の簡単な説明】
【００１５】
【図１】本実施形態に係る無線通信システムの構成概略図である。
【図２】基地局と端末間の通信条件が設定される例を示す概念図である。
【図３】基地局と端末間の通信条件が設定される他の例を示す概念図である。
【図４】本実施形態に係る無線通信システムの処理の流れを示すフローチャートである。
【発明を実施するための形態】
【００１６】
＜無線通信システムの構成概略＞
以下、本発明の実施形態について説明する。図１は、本実施形態に係る無線通信システム１０の構成概略図である。無線通信システム１０は、第１無線装置としての基地局１２、第２無線装置としての端末１４、及びＰＣ（Personal Computer）１６とを含んで構成される。
【００１７】
基地局１２は、１又は複数の端末１４との間で無線通信を行う無線装置である。基地局１２は、例えば無線通信ユニットであるがそれに限られない。端末１４は、基地局１２と無線通信可能に接続される無線装置である。端末１４は、例えば遠隔監視端末（例えば扉の開閉を検出して基地局１２へ送信するもの）であるがそれに限られない。基地局１２と端末１４との間の無線通信の方式としては、例えば特定小電力無線通信、ＬＴＥ（Long Time Evolution）などの携帯電話回線を利用した無線通信、あるいは無線ＬＡＮ通信などであってよい。
【００１８】
ＰＣ１６は、有線通信あるいは無線通信にて基地局１２に通信可能に接続される。例えば、基地局１２とＰＣ１６はＲＳ２３２Ｃケーブルで接続される。ＰＣ１６は、無線通信システム１０の管理者（ユーザ）により利用されるものであり、例えば端末１４から送信されてくるデータを表示あるいは記憶などする。
【００１９】
以下、基地局１２の構成の詳細について説明する。
【００２０】
記憶部２０は、例えばＲＯＭ（Read Only Memory）あるいはＲＡＭ（Random Access Memory）などから構成される。記憶部２０には、基地局１２の各部を動作させるためのプログラムなどが記憶される。また、記憶部２０には、端末１４との間の通信条件を示す情報が記憶される。基地局１２に複数の端末１４が無線接続される場合は、当該通信条件は端末毎に複数記憶される。通信条件としては様々な条件を含み得るが、本実施形態では通信条件として、通信チャネル（データの送受信に用いる中心周波数）、及び伝送レート（単位時間当たりのデータの送受信量）を含む。伝送レートは、後述のように、基地局１２と端末１４との間で送受信されるデータに対して施される変調の方式（変調方式）、あるいは、データの送受信に利用される周波数の範囲である帯域幅に応じて決定される。
【００２１】
制御部２２は、例えばマイクロコントローラなどから構成され、記憶部２０に記憶されたプログラムに従って、基地局１２の各部を制御する。
【００２２】
送信フレーム処理部２４は、基地局１２から端末１４へ送信すべきデータのフレームを、基地局１２と端末１４間の無線通信に適したフレームに変換する処理を行う。基地局１２から端末１４へ送信すべきデータとしては、例えば、基地局１２が端末１４からテスト信号（後述）を受信したことを端末１４へ通知するためのＡＣＫ、あるいは端末１４を制御するためのデータなどがある。
【００２３】
変調部２６は、送信フレーム処理部２４から出力されたデータを変調する処理を行う。変調部２６は、制御部２２からの指示に従って、データを変調する変調方式及び帯域幅を切り替えることができる。なお、変調部２６はデジタルフィルタを有していてもよく、当該デジタルフィルタにより帯域幅が制御されてもよい。変調方式あるいは帯域幅を切り替えることによって、基地局１２から端末１４へデータを送信する際の伝送レートが変更される。つまり、変調部２６は、基地局１２側の通信条件設定部を構成する。変調部２６は、種々の変調方式によってデータを変調することができる。例えば、ＦＳＫ（Frequency Shift Keying）、ＰＳＫ（Phase Shift Keying）、ＡＳＫ（Amplitude Shift Keying）、多値ＱＡＭ（Quadrature Amplitude Modulation）、ＯＦＤＭ（Orthogonal Frequency Division Multiplexing）などを利用することができる。
【００２４】
Ｄ／Ａ処理部２８は、変調部２６により変調されたデータをデジタル信号からアナログ信号へ変換する処理を行う。
【００２５】
送信ＲＦ部３０は、Ｄ／Ａ処理部２８が変換したアナログのベースバンド信号をアップコンバートして高周波信号へ変換する。当該高周波信号の周波数によってアンテナ３４からデータが送波される。送信ＲＦ部３０は、制御部２２からの指示に従って、変換後の高周波信号の中心周波数を切り替えることができる。これにより、基地局１２から端末１４へデータを送信する際の通信チャネルが変更される。つまり、送信ＲＦ部３０は、基地局１２側の通信条件設定部を構成する。さらに、送信ＲＦ部３０は変換した高周波信号を増幅させる増幅処理を行う。
【００２６】
ＲＦスイッチ３２は、高周波信号の経路を切り替えるスイッチである。ＲＦスイッチ３２は、制御部２２からの指示に従って、送信ＲＦ部３０からの高周波信号をアンテナ３４へ供給するか、アンテナ３４からの高周波信号を受信ＲＦ部３６へ供給するかを切り替える。
【００２７】
アンテナ３４は、ＲＦスイッチ３２からの高周波信号を電波として空中に放射（送信）する。また、空中から電波を受信して高周波信号に変換しＲＦスイッチ３２へ供給する。
【００２８】
受信ＲＦ部３６は、ＲＦスイッチ３２からの高周波信号を増幅させる増幅処理を行い、増幅された高周波信号をダウンコンバートしてベースバンド信号へ変換する。
【００２９】
Ａ／Ｄ処理部３８は、受信ＲＦ部３６により変換されたベースバンド信号をアナログ信号からデジタル信号へ変換する処理を行う。
【００３０】
チャネルフィルタ群４０は、複数のチャネルフィルタから構成される。チャネルフィルタはバンドパスフィルタであり、所定範囲内の周波数の信号を通過させるフィルタである。各チャネルフィルタが通過させる周波数範囲はそれぞれ異なっている。各チャネルフィルタが通過させる周波数範囲は、基地局１２と端末１４間において設定可能な各通信チャネルに対応したものとなっている。図１においては、チャネルフィルタ群４０は４つのチャネルフィルタから構成されているが、チャネルフィルタ群４０が有するチャネルフィルタの数はこれに限られない。
【００３１】
復調部群４２は、複数の復調部から構成される。復調部群４２に含まれる各復調部は、チャネルフィルタ群４０に含まれる各チャネルフィルタに対応して設けられる。各復調部は、チャネルフィルタを通過してきたデータを制御部２２により設定された伝送レートで受信する。つまり、復調部は、制御部２２からの指示に従った方式においてデータを復調する。具体的には、復調部は、端末１４の変調部５４（後述）において設定された変調方式及び帯域幅に応じた方式でデータを復調する。
【００３２】
受信フレーム処理部４４は、各復調部において復調されたデータのフレームを基地局１２とＰＣ１６間の通信に適したフレームに変換する処理を行う。
【００３３】
なお、基地局１２が有する各構成要素のうち、送信フレーム処理部２４、変調部２６、Ｄ／Ａ処理部２８、送信ＲＦ部３０、ＲＦスイッチ３２、受信ＲＦ部３６、Ａ／Ｄ処理部３８、チャネルフィルタ群４０、復調部群４２、及び受信フレーム処理部４４の各機能は、例えばプロセッサなどのハードウェアを利用して実現することができる。また、プロセッサなどのハードウェアと、当該プロセッサを動作させるソフトウェアの協働により実現されてもよい。
【００３４】
以上説明した通り、基地局１２は、端末１４へ送信すべきデータの変調処理及び高周波信号への変換処理を行ってアンテナ３４から電波として送信する。また、端末１４から受信したデータのベースバンド信号への変換処理及び復調処理を行う。上述の通り、基地局は、複数の通信チャネル及び複数の伝送レートにて端末１４と通信することができる。また、基地局１２においては、チャネルフィルタ及び復調部がそれぞれ複数設けられることで、異なる通信チャネル及び異なる伝送レートによって受信した複数の信号を同時に処理可能となっている。
【００３５】
以下、端末１４の構成の詳細について説明する。端末１４は、概ね基地局１２と同様の構成となっている。基地局１２と同様の構成要素についての詳細な説明は省略する。
【００３６】
変調部５４は、端末１４から基地局１２へ送信すべきデータを変調する処理を行う。端末１４から基地局１２へ送信すべきデータとしては、基地局１２と端末１４間の通信条件を決定するためのテスト信号がある。あるいは、例えば、端末１４が遠隔監視端末である場合は、端末１４が有する検出部（不図示）が検出した検出信号（例えば扉の開状態を示す検出信号）などがある。変調部５４は、制御部５２からの指示に従って、送信すべきデータを変調する変調方式及び帯域幅を切り替えることができる。変調方式あるいは帯域幅を切り替えることによって、端末１４から基地局１２へデータを送信する際の伝送レートが変更される。つまり、変調部５４は、端末１４側の通信条件設定部を構成する。
【００３７】
変調部５４において変調されたデータは、Ｄ／Ａ処理部５６においてアナログ信号に変換される。さらに、アナログのベースバンド信号は送信ＲＦ部５８によりアップコンバートされ高周波信号へ変換される。送信ＲＦ部５８は、制御部５２からの指示に従って、変換後の高周波信号の中心周波数を切り替えることができる。これにより、端末１４から基地局１２へデータを送信する際の通信チャネルが変更される。つまり、送信ＲＦ部５８は、端末１４側の通信条件設定部を構成する。
【００３８】
送信ＲＦ部５８からの高周波信号はＲＦスイッチ６０を介してアンテナ６２から送信される。
【００３９】
アンテナ６２が基地局１２から受信した高周波信号は、ＲＦスイッチ６０を介して受信ＲＦ部６４へ送られる。当該高周波信号は受信ＲＦ部６４によりベースバンド信号へ変換され、さらにＡ／Ｄ変換部６６によりデジタル信号に変換される。
【００４０】
チャネルフィルタ６８は、制御部５２から指示された周波数範囲の信号を通過させ、復調部７０は、制御部２２からの指示に従った方式において、チャネルフィルタ６８を通過してきたデータを復調する。
【００４１】
望ましくは、通信品質検出部としての受信信号強度検出部７２が端末１４に設けられる。受信信号強度検出部７２は、アンテナ６２が基地局１２から受信した受信信号の強度を検出し、検出信号を制御部５２へ送る。受信信号強度検出部７２は、受信信号の強度を常時モニタしてもよいし、間欠的に検出するようにしてもよい。後述の通り、当該受信信号の強度は、基地局１２と端末１４間の通信条件を変更するトリガとして用いられる。
【００４２】
無線通信システム１０の構成概略は以上の通りである。上述の通り、端末１４は、複数の通信チャネル及び複数の伝送レートで基地局１２と通信することができる。無線通信システム１０においては、基地局１２と端末１４間で無線通信を開始するに先立って、両装置間で通信条件が共有される。無線通信システム１０においては、従来用いられていた制御用チャネルを用いずに、基地局１２と端末１４間で通信条件を共有する。以下、図１を参照しつつ、図２及び図３を用いて、基地局１２と端末１４間における通信条件の共有（設定）の具体的な処理内容について説明する。
【００４３】
＜基地局と端末間の通信条件の共有＞
図２には、基地局１２と端末１４間の通信条件設定時における両装置の動作の例を示す概念図が示されている。まず、端末１４は、基地局１２との通信開始前に、予め定められた通信条件で通信試験信号としてのテスト信号を基地局１２へ送信する。テスト信号は予め記憶部５０に記憶されていてよい。
【００４４】
図２の例では、通信チャネルｆ１、伝送レートＭ１で送信する。具体的には、テスト信号は変調部２６において伝送レートＭ１に対応する変調方式及び帯域幅で変調され、当該変調信号は、送信ＲＦ部３０において通信チャネルｆ１に相当する周波数に変換されて、通信試験信号送信部としてのアンテナ６２から送信される。
【００４５】
最初にテスト信号を送信する通信条件は、ユーザによって適宜設定されてよい。例えば、基地局１２と端末１４間でできるだけ高速で通信を行いたい場合は、基地局１２及び端末１４において設定可能な限りの最も高い伝送レートが設定されてよい。あるいは、伝送レートと伝送距離は反比例の関係にあることから、例えば端末１４が基地局１２から遠い場所に設置されている場合に、確実に早期に通信を開始したい場合などは、基地局１２及び端末１４において設定可能な限りの最も低い伝送レートが設定されてよい。
【００４６】
基地局１２のアンテナ３４において受信されたテスト信号は、ＲＦスイッチ３２から受信フレーム処理部４４までの処理を介して制御部２２へ送られる。制御部２２は、テスト信号を受け取ったことをトリガとして、受信確認信号としてのＡＣＫを出力する。ＡＣＫは、基地局１２がテスト信号を受信したことを端末１４へ通知するための信号である。ＡＣＫは、送信フレーム処理部２４からＲＦスイッチ３２までの処理を介して、受信確認信号送信部としてのアンテナ３４から端末１４へ送信される。好適には、基地局１２は、端末１４からテスト信号が送信されたときの通信条件と同じ通信条件でＡＣＫを端末１４へ送信する。つまり、ＡＣＫは通信チャネルｆ１、伝送レートＭ１で送信される。
【００４７】
基地局１２は、複数のチャネル及び複数の伝送レートにて受信することが可能となっているため、予め基地局１２においてチャネル及び伝送レートを設定しておくことで、端末１４からのテスト信号の通信条件を取得することができる。
【００４８】
また、制御部２２は、端末１４からのテスト信号を受け取ったときに、端末１４と、当該テスト信号が送信されたときの通信条件（通信チャネルｆ１、伝送レートＭ１）を関連付けて記憶部２０に記憶させる。
【００４９】
基地局１２からのＡＣＫを端末１４が受信した場合は、当該通信条件（通信チャネルｆ１、伝送レートＭ１）において基地局１２と端末１４間で通信可能ということを意味する。したがって、基地局１２と端末１４間の通信条件は通信チャネルｆ１、伝送レートＭ１に設定される。具体的には、端末１４の制御部５２は、テスト信号を送ったときの通信条件を基地局１２との通信条件として記憶部５０に記憶させる。基地局１２の制御部２２は、テスト信号を受信したときに記憶部２０に記憶させた通信条件を端末１４との通信条件として利用する。以後、設定された通信条件にて基地局１２と端末１４間において通信が開始される。
【００５０】
図３には、基地局１２と端末１４間の通信条件設定時における両装置の動作の他の例を示す概念図が示されている。
【００５１】
図３の例では、図２の例同様、まず、端末１４は、基地局１２との通信開始前に、予め定められた通信条件（通信チャネルｆ１、伝送レートＭ１）でテスト信号を基地局１２へ送信する。テスト信号を受けた基地局１２は、当該通信条件（通信チャネルｆ１、伝送レートＭ１）でＡＣＫを端末１４へ送信しつつ、端末１４と当該通信条件を関連付けて記憶部２０に記憶する。
【００５２】
図３の例では、基地局１２と端末１４間の通信環境が悪いために、基地局１２からのＡＣＫが端末１４まで到達しなかったとする。端末１４は、テスト信号を送信してから所定時間内に基地局１２からのＡＣＫを受信できない場合は、通信条件を変更して再度テスト信号を基地局１２に送信する。本例では、通信チャネルを変更し、通信チャネルｆ２、伝送レートＭ１でテスト信号を再送する。
【００５３】
本例では、通信チャネルｆ２、伝送レートＭ１で送信したテスト信号が基地局１２まで到達しなかったとする。そうすると、当然に基地局１２はＡＣＫを返さないから、端末１４は、再度通信条件を変更してテスト信号を基地局１２に送信する。本例では、伝送レートを変更し、通信チャネルｆ２、伝送レートＭ２でテスト信号を再送する。
【００５４】
通信チャネルｆ２、伝送レートＭ２で送信されたテスト信号を受けた基地局１２は、当該通信条件（通信チャネルｆ２、伝送レートＭ２）でＡＣＫを端末１４へ送信しつつ、端末１４に関連付けられた通信条件を当該通信条件に更新する。基地局１２からのＡＣＫを端末１４が受信した場合は、基地局１２と端末１４間の通信条件は通信チャネルｆ２、伝送レートＭ２に設定される。
【００５５】
図２及び図３の例は、基地局１２と端末１４間の通信開始前において通信条件を設定する例であったが、一度通信条件が設定されて通信が開始した後において、上記方法にて通信条件の変更処理が行われてもよい。例えば、通信チャネルｆ１、伝送レートＭ１において基地局１２と端末１４間で通信が行われている場合であって、受信信号強度検出部７２が検出した受信信号の強度が予め定められた所定レベル以下となった場合に、端末１４は、現在の通信条件とは異なる通信条件（例えば通信チャネルｆ２、伝送レートＭ１）でテスト信号を基地局１２に送信する。以後、図２又は図３に示した例と同様の処理によって基地局１２と端末１４間の通信条件が変更される。
【００５６】
以上説明した通り、無線通信システム１０によれば、従来用いられていた制御用チャネルを用いることなく、基地局１２と端末１４間で通信条件を共有することができる。本実施形態によれば、実際に通信に用いられる通信条件で端末１４から送信されたテスト信号を基地局１２が受信し、且つ、同通信条件で基地局１２から送信されたＡＣＫを端末１４が受信したことをもって（つまり同通信条件で両装置間で通信できることを確認した上で）、両装置間の通信条件が設定される。したがって、基地局１２と端末１４間において確実に通信可能な通信条件を設定することができる。
【００５７】
また、好適には、両装置間の通信品質をモニタすることで、当該通信品質の検出結果に基づいて通信条件を変更することができる。これにより、両装置間の通信環境が変化したことなどにより通信品質が悪化した場合であっても、通信条件を動的に変更（改善）することができる。
【００５８】
以下、図４に示すフローチャートに従って、無線通信システム１０の処理の流れを説明する。
【００５９】
ステップＳ１０において、端末１４は、第１通信条件（例えば通信チャネルｆ１、伝送レートＭ１）でテスト信号を基地局１２へ送信する。
【００６０】
ステップＳ１２において、基地局１２は、端末１４からテスト信号を受信したか否かを判定する。テスト信号を受信した場合はステップＳ１４に進み、テスト信号を受信しなかった場合は、ステップＳ２０に進む。
【００６１】
ステップＳ１４において、基地局１２は、ＡＣＫを第１通信条件で端末１４へ送信しつつ、端末１４と第１通信条件とを関連付けて記憶する。
【００６２】
ステップＳ１６において、端末１４は、ステップＳ１０でテスト信号を送信してから所定時間内に基地局１２からＡＣＫを受信したか否かを判定する。
【００６３】
ステップＳ１６でＡＣＫを受信した場合はステップＳ１８に進み、ステップＳ１８において、端末１４は第１通信条件で基地局１２と通信を開始して処理を終了する。さらに、この場合、ステップＳ２０において、基地局１２は通信開始したと判定し、処理を終了する。
【００６４】
ステップＳ１６で、ＡＣＫを受信しなかった場合には、ステップＳ２２に進み、端末１４は、第１通信条件とは異なる第２通信条件（例えば通信チャネルｆ２、伝送レートＭ１）でテスト信号を基地局１２へ送信する。
【００６５】
ステップＳ２４において、ステップＳ１２同様、基地局１２は、端末１４からテスト信号を受信したか否かを判定する。テスト信号を受信した場合はステップＳ２６に進み、テスト信号を受信しなかった場合は、ステップＳ３２に進む。
【００６６】
ステップＳ２６において、基地局１２は、ＡＣＫを第２通信条件で端末１４へ送信しつつ、端末１４に関連付けられた通信条件を第２通信条件に更新する。
【００６７】
ステップＳ２８において、端末１４は、ステップＳ２２でテスト信号を送信してから所定時間内に基地局１２からＡＣＫを受信したか否かを判定する。
【００６８】
ステップＳ２８でＡＣＫを受信した場合はステップＳ３０に進み、ステップＳ３０において、端末１４は第２通信条件で基地局１２と通信を開始して処理を終了する。さらに、この場合、ステップＳ３２において基地局１２は通信開始したと判定し、処理を終了する。
【００６９】
ステップＳ２８で、ＡＣＫを受信しなかった場合には、ステップＳ２２に戻り、端末１４は、第１通信条件及び第２通信条件とは異なる第３通信条件（例えば通信チャネルｆ２、伝送レートＭ２）でテスト信号を基地局１２へ送信する。
【００７０】
以後、基地局１２と端末１４間の通信条件が設定されるまでステップＳ２２からステップＳ３２の処理を繰り返し実行する。なお、基地局１２及び端末１４において設定可能な全ての通信条件において基地局１２と端末１４間で通信ができなかった場合は処理を終了する。この場合、ＰＣ１６において基地局１２と端末１４が通信不可であることをユーザへ通知するための表示を行ってもよい。
【００７１】
以上、本発明に係る実施形態を説明したが、本発明は上記実施形態に限られるものではなく、本発明の趣旨を逸脱しない限りにおいて種々の変更が可能である。
【００７２】
例えば、上記実施形態では、端末１４がテスト信号を送信し、それを受けた基地局１２がＡＣＫを返すことで両装置間の通信条件が設定されていたが、基地局１２がテスト信号を送信し、それを受けた端末１４がＡＣＫを返すことで両装置間の通信条件が設定されてもよい。
【００７３】
また、上記実施形態では、端末１４は、第１通信条件で１度テスト信号を送信し、それに対するＡＣＫが返ってこなかった場合に他の通信条件（第２通信条件）にてテスト信号を送信していたが、第１通信条件送信したテスト信号に対するＡＣＫが返ってこなかったときに、複数回第１通信条件でテスト信号を送信し、なおＡＣＫが返ってこなかった場合に第２通信条件にてテスト信号を送信するようにしてもよい。
【００７４】
また、上記実施形態では、通信品質検出部として、受信信号強度検出部７２が用いられていたが、通信品質検出部は他の構成であってもよい。例えば、通信品質検出部として、受信信号のＳ／Ｎ比を検出するＳ／Ｎ比検出部を端末１４に設け、受信信号のＳ／Ｎ比が所定レベル以下となった場合に、基地局１２と端末１４間の通信条件を再設定するようにしてもよい。また、通信品質検出部として、基地局１２と端末１４間で通信が行われる度に、通信成功／通信失敗の履歴を取得して記憶部５０に記憶させる通信履歴取得部を端末１４に設け、通信失敗の回数が所定回数以上となった場合に、基地局１２と端末１４間の通信条件を再設定するようにしてもよい。
【符号の説明】
【００７５】
１０  無線通信システム、１２  基地局、１４  端末、１６  ＰＣ、２０，５０  記憶部、２２，５２  制御部、２４  送信フレーム処理部、２６，５４  変調部、２８，５６  Ｄ／Ａ処理部、３０，５８  送信ＲＦ部、３２，６０  ＲＦスイッチ、３４，６２  アンテナ、３６，６４  受信ＲＦ部、３８，６６  Ａ／Ｄ処理部、４０  チャネルフィルタ群、４２  復調部群、４４  受信フレーム処理部、６８  チャネルフィルタ、７０  復調部、７２  受信信号強度検出部。
【図１】
2017199963.tif 000003
【図２】
2017199963.tif 000004
【図３】
2017199963.tif 000005
【図４】
2017199963.tif 000006